(57)【要約】【課題】着座した使用者に、肉体の能力の強化や痩身体型の維持などを目的としたシェイプアップ運動を効果的に行わせる。【解決手段】本発明のシェイプアップ用の椅子１は、使用者Ｕが着座する座部２と、座部２の下側に配備され、且つ下方に向かって膨らんだ曲面を有すると共にこの曲面の少なくとも頂部で床面に接触して座部２を支持する支持部７と、座部２に着座した使用者Ｕを押圧するエアバッグと、座部２が後方に向かって所定の傾動角度以上に傾動すること抑制する転倒防止部１３と、を備えている。【選択図】図３
2014057722.tif 000002
【特許請求の範囲】
【請求項１】
使用者が着座する座部と、
前記座部の下側に配備され、且つ下方に向かって膨らんだ曲面を有すると共にこの曲面の少なくとも頂部で床面に接触して前記座部を支持する支持部と、
前記座部に着座した使用者を押圧するエアバッグと、
前記座部が後方に向かって所定の傾動角度以上に傾動すること抑制する転倒防止部と、
を備えていることを特徴とするシェイプアップ用の椅子。
【請求項２】
前記座部の側方には、使用者の下肢又は腰部を押圧する第１のエアバッグが設けられていることを特徴とする請求項１に記載のシェイプアップ用の椅子。
【請求項３】
前記座部の上面には、使用者の下肢又は腰部を上方向に押圧する第２のエアバッグが設けられていることを特徴とする請求項１又は２に記載のシェイプアップ用の椅子。
【請求項４】
前記転倒防止部は、前記座部の後端よりもさらに後方に向かって突出する突出片から構成されていることを特徴とする請求項１〜３の何れかに記載のシェイプアップ用の椅子。
【発明の詳細な説明】
【技術分野】
【０００１】
本発明は、着座した使用者の腰部などに対してひねるような運動を行わせることのできるシェイプアップ用の椅子に関する。
【背景技術】
【０００２】
例えば、特許文献１には、使用者が着座可能な座部、この座部の後部に配備されて使用者の背部を支える背もたれ部、座部の左右に設けられて使用者の肘を載せる肘掛け部などを備えた椅子型マッサージ機が開示されている。この椅子型マッサージ機の座部や背もたれ部には、エア式で膨張・収縮するエアバッグが設けられており、エアバッグを膨張・収縮させることで背中や腰といった使用者の施療部をマッサージ可能となっている。
【０００３】
ところで、近年、椅子型マッサージ機に着座した使用者に、肉体の能力の強化や痩身体型の維持などを目的とした引き締め運動、いわゆるシェイプアップ運動（ボディシェイプアップ、エクササイズ、あるいはワークアウトと呼ばれることもある。以降、これらをすべて含めてシェイプアップ運動という）を望むニーズが高まっている。このようなシェイプアップ運動を特許文献１の椅子型マッサージ機で可能とするためには、例えばヒップ周りや腰周りといったたるみが出やすい場所にエアバッグを配備する。そうすると、エアバッグの膨張に伴う押圧によってたるみやすい箇所の筋肉が刺激され、たるみやすい箇所の筋肉を重点的に引き締めることができる。
【先行技術文献】
【特許文献】
【０００４】
【特許文献１】特開２０１１−１０６９５号公報
【発明の概要】
【発明が解決しようとする課題】
【０００５】
ところで、上述したエアバッグで刺激を与えれば、表層の筋肉が収縮して、軽微なシェイプアップ運動を行うことは可能となる。
しかし、肉体の能力の強化や痩身体型の維持を効果的に行うためには、エアバッグなどで刺激される表層の筋肉だけでなく、インナーマッスルやコアマッスルなどの深層筋をも鍛錬するのが好ましい。このような深層筋を鍛錬するという点からすると、特許文献１に代表されるような椅子型マッサージ機は、あくまでも表層の筋肉だけを鍛錬するものであり、深層筋を鍛錬するという機能を殆ど備えていない。
【０００６】
本発明は、上記した問題に鑑みて為されたものであり、着座した使用者に、肉体の能力の強化や痩身体型の維持などを目的としたシェイプアップ運動を効果的に行わせることができるシェイプアップ用の椅子を提供することを目的とする。
【課題を解決するための手段】
【０００７】
前記目的を達成するため、本発明のシェイプアップ用の椅子は以下の技術的手段を講じた。
すなわち、本発明に係るシェイプアップ用の椅子は、使用者が着座する座部と、前記座部の下側に配備され、且つ下方に向かって膨らんだ曲面を有すると共にこの曲面の少なくとも頂部で床面に接触して前記座部を支持する支持部と、前記座部に着座した使用者を押圧するエアバッグと、前記座部が後方に向かって所定の傾動角度以上に傾動すること抑制する転倒防止部と、を備えていることを特徴とする。
【０００８】
好ましくは、前記座部の側方には、使用者の下肢又は腰部を押圧する第１のエアバッグが設けられているとよい。
好ましくは、前記座部の上面には、使用者の下肢又は腰部を上方向に押圧する第２のエアバッグが設けられているとよい。
好ましくは、前記転倒防止部は、前記座部の後端よりもさらに後方に向かって突出する突出片から構成されているとよい。
【発明の効果】
【０００９】
本発明に係るシェイプアップ用の椅子によれば、着座した使用者に対して効果的なシェ
イプアップ運動を行わせることができる。
【図面の簡単な説明】
【００１０】
【図１】シェイプアップ用の椅子の斜視図である。
【図２】シェイプアップ用の椅子の正面図である。
【図３】シェイプアップ用の椅子の側面図である。
【図４】シェイプアップ用の椅子の底面図である。
【図５】シェイプアップ用の椅子の後方斜視図である。
【図６】シェイプアップ用の椅子が前後方向に沿って揺動運動を行う様子及び転倒防止部が作動した様子を示した図である。
【図７】シェイプアップ用の椅子が左右方向に沿って揺動運動を行う様子を示す図である。
【発明を実施するための形態】
【００１１】
以下に、本発明の本実施形態のシェイプアップ用の椅子１（以降では、単に「椅子１」という）を図を基に説明する。図１〜図５は椅子１の外観を示している。また、図６、図７は、椅子１の姿勢変化を示した図とされている。なお、各図では説明の便宜上、構造の一部を省略して描いてある場合がある。
以下の説明では、図３の左右方向を椅子１を説明する際の前後方向と呼び、図３の上下方向を椅子１を説明する際の上下方向と呼ぶ。図３の紙面貫通方向を椅子１を説明する際の左右方向又は幅方向と呼ぶ。これらの方向は、椅子１に座った使用者Ｕから見たものと一致する。
【００１２】
図１〜図５に示すように、本実施形態の椅子１は、使用者Ｕが着座する座部２と、この座部２の左右両側に設けられた肘掛け部３、３と、座部２の後側に設けられた背もたれ部４とを備えている。
図２〜図５に示すように、座部２は、着座する使用者Ｕの臀部を下方から支持するに十分な広さを有する部材であり、座部２に加わる重量を支えるに十分な剛性を有している。本実施形態の場合であれば、座部２は、プラスチックで形成された筐体と、この筐体内に配備された金属のパイプ材からなるフレームとを組み合わせて形成されている。
【００１３】
また、座部２の上面は、左右方向の両端側に比べて中央側が低く形成されている。この座部２の中央側は、クッション材などを載置できるように平坦な面状に形成されている。そして、この平坦な座部２の中央部には、後述する前エアバッグ５と後エアバッグ６とが前後に並んで設けられている。
さらに、座部２は、側面視で上側から下側に向かうにつれて水平方向に沿った断面積が小さくなるようなテーパ状に形成されており、座部２の下面の面積の方が上面の面積よりも小さくなっている。そして、この面積が小さな座部２の下面には、後述する支持部７が設けられている。
【００１４】
肘掛け部３は、座部２上面よりもさらに上方に向かって膨出するように、座部２の左右両側に設けられた部材であり、膨出した部分の上端に使用者Ｕの肘を載置できるようになっている。この肘掛け部３には、座部２の左側に設けられて使用者の左側の肘を支える左肘掛け部と、座部２の右側に設けられて使用者の右側の肘を支える右肘掛け部とがある。これら左右の肘掛け部３、３は、座部２の中央を挟んで互いに左右対称な構造となっていて、いずれも使用者Ｕに面する側（幅方向内側）にエアバッグ（後述する左エアバッグ８及び右エアバッグ９）がそれぞれ内蔵されている。
【００１５】
図５に示されるように、背もたれ部４は、座部２の後側に、上下方向に向かって起立するように取り付けられた部材であり、使用者Ｕの背部を後方から支えられるようになっている。背もたれ部４の後側には、下方に向かって伸びるアーム部材１０が設けられている。このアーム部材１０の上端側は背もたれ部４に連結されており、また下端側にはヒンジ部材１１が設けられている。つまり、背もたれ部４は、ヒンジ部材１１により座部２の後端側に対して左右方向を向く軸周りに揺動自在にアーム部材１０を連結されており、下端を中心として前後にリクライニングできるようになっている。背もたれ部４の内部にも、使用者Ｕに面する側（前面側）にエアバッグ（後述する背部エアバッグ１２）が内蔵されている。
【００１６】
ところで、上述した座部２、肘掛け部３、または背もたれ部４の内部には、座部２に着座した使用者Ｕの身体の一部を押圧するエアバッグがそれぞれ設けられている。具体的には、本実施形態では座部２の前後にそれぞれ１個ずつ、左右の肘掛け部３、３に１個ずつ、及び背もたれ部４に１個の合計５個のエアバッグが設けられている。
上述した５個のエアバッグのうち、左エアバッグ８は左側の肘掛け部３に内蔵されて使用者Ｕの左側の太腿や腰部を右方向に向かって押圧するものであり、右エアバッグ９は右側の肘掛け部３に内蔵されて使用者Ｕの右側の太腿や腰部を左方向に向かって押圧するものである。これらの左エアバッグ８と右エアバッグ９とが、使用者Ｕの下肢を左右方向に沿って押圧することにより、使用者Ｕに左右方向に沿ったひねり運動を行わせる第１のエアバッグとなっている。
【００１７】
また、前エアバッグ５は、座部２の前側に内蔵されて使用者Ｕの太腿を上方向に押圧するものであり、後エアバッグ６は、座部２の後側に内蔵されて使用者Ｕの臀部を上方向に押圧するものである。これらの前エアバッグ５と後エアバッグ６とが、使用者Ｕの下肢や腰部を上方向に押圧することにより、使用者Ｕに前後方向に沿ったひねり運動を行わせる第２のエアバッグとなっている。
【００１８】
また、上述したシェイプアップ用の椅子１には、第１のエアバッグや第２のエアバッグに加えて、背もたれ部４に内蔵されて使用者Ｕの背中を前後方向に沿って押圧する背部エアバッグ１２が設けられている。
これらのエアバッグは、図示しないポンプやエア配管などを用いて圧縮空気などを送ることにより、個別に膨張・収縮可能とされており、エアバッグを膨張・収縮させることで使用者Ｕの太腿、臀部、背中などを前後方向や左右方向に沿って押圧できるようになっている。
【００１９】
ところで、上述したエアバッグを例えば身体の中でも臀部や太腿といったたるみが出やすい場所に設ければ、エアバッグを膨張させた際にたるみが出やすい場所の筋肉が刺激されて、これらの場所の筋肉が収縮し軽微なシェイプアップ運動を行うことが可能となる。
しかしながら、本格的に肉体の能力の強化、痩身体型の実現や維持を行うためには、エアバッグなどで刺激される表層の筋肉だけでなく、身体の内部に存在するインナーマッスルやコアマッスルといった深層筋を鍛錬する必要がある。
【００２０】
そこで、本発明のシェイプアップ用の椅子１では、座部２の下側に、下方に向かって膨らんだ曲面を有すると共に、この曲面上の頂部１６で床面に接触しつつ床面に対してバランスを取りながら座部２を支持する支持部７を設けている。
このように床面に対してバランスを取りながら座部２を支持する支持部７を設ければ、上述したエアバッグのいずれかを用いて座部２に着座した使用者Ｕを押圧した際に、座部２上での使用者Ｕの着座姿勢や着座位置が変化して椅子１が傾き、傾いた椅子１を元に戻そうとして使用者Ｕが上半身を傾いた側とは反対にひねるため、上半身のひねりという深層筋の鍛錬に有効なひねり運動を使用者に自然に行わせることができるようになる。その結果、エアバッグで刺激を受ける表層の筋肉だけでなく、インナーマッスルやコアマッスルなどの深層筋をも鍛錬することが可能となり、肉体の能力の強化や痩身体型の維持をより効果的に行うことができる。
【００２１】
言い換えれば、本発明のシェイプアップ用の椅子１は、たるみやすい箇所の筋肉を刺激するという機能のみにエアバッグを用いるのではなく、使用者Ｕを押圧してバランス保持のためのシェイプアップ運動を行わせる機能にエアバッグを用いたものとなっている。
なお、本発明のシェイプアップ用の椅子１のように支持部７を設けて座部２を傾動自在とすれば、座部２が後方に揺動しすぎると椅子１が使用者Ｕを載せたまま誤って後方に転倒する場合も考えられるので、座部２が使用者Ｕの後方に向かって所定の角度以上に傾動すること抑制することにより、椅子１の転倒を防止する転倒防止部１３が必要不可欠な構成部材として設けられている。
【００２２】
次に、本発明のシェイプアップ用の椅子１の特徴である支持部７や転倒防止部１３について説明する。
図２〜図４、特に図５に詳しく示すように、支持部７は、座部２の下面を覆うことができる程度の面積を備えた部材である。この支持部７は、外縁部に対して中央部が下方に向かって突出するように湾曲しており、またこの下方に向かって突出した突端は下方に向かって半球状に湾曲した曲面として形成されている。
【００２３】
また、支持部７は、突端の湾曲した面上のいずれかの部分（静置状態では頂部１６）で床面に接触可能となっており、この接触部でバランスを取りながら座部２に加わる全ての重量を支持可能となっている。そして、座部２が水平面に対して何れかの方向に傾動した際には、床面と接する接触部が湾曲した面上で別の位置に移動し、別の位置で座部２に加わる重量のバランスを取るようになるので、この支持部７では座部２の傾動を許容しつつ座部２に加わった重量を支持できるようになる。
【００２４】
具体的には、支持部７の頂部１６は、座部２のほぼ中央下側、言い換えれば座部２の前後方向及び左右方向におけるほぼ中間下側に位置しており、座部２に着座した使用者Ｕが上半身を少しひねるなどして着座姿勢を適宜調整すれば、上半身をひねった方向に容易に重量のバランスを調整できるようになっている。また、座部２の下面から支持部７の頂部１６までの上下方向の距離は、座部２の厚みのほぼ半分程度とされていて、支持部７は座部２の上面が床面に対して例えば２０°程度の傾斜角まで傾動することを許容できるようになっている。
【００２５】
転倒防止部１３は、椅子１（座部２）が後方に向かって所定の傾動角度以上に傾動すること抑制するものであり、椅子１の後方傾動が大きくなり過ぎて後方へ転倒することを防止するものである。本実施形態では、この転倒防止部１３は、座部２から下方に向かって伸びる左右１組のパイプ材からなる支柱部材１４と、支柱部材１４の下端に設けられた突出片１５とで構成されている。この突出片１５は、座部２の上面（上述したクッション材などを載置する平坦な面）と略平行となるように、パイプ材をレーストラック状（矩形状）に折り曲げたような形状に形成されている。そして、この突出片１５の前端側は支柱部材１４の下端に連結されており、また突出片１５の後端は座部２の後端よりもさらに後方に位置しており、床面などに接触することで椅子１の後方傾動を防止できるようになっている。
【００２６】
例えば、図６（ａ）に示すように、椅子１が全く傾動していない場合においては、座部２の上面と床面とは互いに略平行となり、この転倒防止部材１３の突出片１５も床面に対して平行となる。それゆえ、突出片１５が床面に接触することはなく、転倒防止部材１３により椅子１の傾動が規制されることもない。
しかし、図６（ｂ）に示すように、椅子１が後方に向かって傾動すると、座部２の上面が床面に対して後方に向かって下がるように傾斜し、座部２の上面と平行になるように取り付けられた突出片１５も床面に対して傾斜するようになる。そして、椅子１が所定の傾斜角度まで傾動すると、突出片１５の後端側が床面に接触し、この傾斜角度以上に椅子１は後方傾動できなくなる。それゆえ、上述した転倒防止部１３を設ければ、後方に向かって椅子１が傾動し過ぎて転倒することが防止される。
【００２７】
次に、図７（ａ）〜図７（ｃ）を用いて、本実施形態のシェイプアップ用の椅子１を用いて行われるシェイプアップ運動について、説明する。
なお、図７（ａ）〜図７（ｃ）は、シェイプアップ用の椅子１と、この椅子１に着座する使用者Ｕ（図中では灰色で示す）を椅子１の前方（正面）から見たものであり、使用者Ｕがどのようなシェイプアップ運動をするかを示したものである。また、以降の説明は、左右のエアバッグ８、９（第１のエアバッグ）を用いて、使用者Ｕを左右方向に沿って押圧することで行われるシェイプアップ運動を代表例として挙げている。
【００２８】
図７（ａ）に示すように、左エアバッグ８も右エアバッグ９も膨張していない場合において、使用者Ｕが支持部７を介して床面にバランスを保ちながら座部２に着座している場合を考える。
図７（ｂ）に示すように、右エアバッグ９を膨張させると、右エアバッグ９により使用者Ｕの腰部乃至は下肢が左方向に向かって水平に押圧され、使用者Ｕの腰部乃至は下肢が座部の左側に移動する。
【００２９】
このとき、図７（ｃ）に示すように、使用者Ｕが上半身を右方向にひねるなどしてバランスを取れば、椅子１の右側が重くなって左方向への傾きが修正される。そして、この使用者Ｕが自然に行う上半身のひねりを伴ったシェイプアップ運動により、インナーマッスルやコアマッスルなどの深層筋が鍛錬される。それゆえ、上述したシェイプアップ用の椅子１によれば、着座した使用者Ｕに、肉体の能力の強化や痩身体型の維持などを目的としたシェイプアップ運動を効果的に行わせることができる。
【００３０】
なお、上述したシェイプアップ運動は、第１のエアバッグを用いた左右方向に沿ったひねり運動の例であったが、第２のエアバッグを用いて次のような手順で前後方向にシェイプアップ運動することもできる。
例えば、図６（ａ）に示すように、椅子１が全く傾動していない場合においては、座部２の上面と床面とは互いに略平行となり、上述した転倒防止部材１３の突出片１５も床面に対して平行となる。それゆえ、突出片１５が床面に接触することはなく、転倒防止部１３により椅子１の傾動が規制されることもない。
【００３１】
この状態において、座部２の上面に配備された前エアバッグ５または後エアバッグ６からなる第２のエアバッグを膨張させると、使用者Ｕの下肢または腰部を上方向に押圧することができる。例えば、図６（ｂ）に示すように、後エアバッグ６を収縮させたまま前エアバッグ５だけに圧縮空気を送って、前エアバッグ５を膨張させると、使用者Ｕの下肢のうち、後側に位置する臀部付近を下げたまま、前側に位置する膝付近が持ち上げられ、使用者Ｕの姿勢が後方に倒れ込むようになる。
【００３２】
このとき、使用者Ｕが上半身を前方にひねるなどしてバランスを取れば、椅子１の前側が重くなって後方への傾きが修正される。そして、この使用者Ｕが自然に行う上半身の前方へのひねりを伴ったシェイプアップ運動により、インナーマッスルやコアマッスルなどの深層筋が鍛錬される。
なお、椅子１の後方への傾動が大きすぎた場合には、転倒防止部材１３が床面に接地し、椅子１はそれ以上後ろに倒れることがなくなり、安全にシェイプアップ運動を行うことができる。
【００３３】
また、前エアバッグ５を収縮させたまま後エアバッグ６だけに圧縮空気を送れば、使用者Ｕが前方にずれ、それを補うように、使用者Ｕに後方へのひねりを伴ったシェイプアップ運動を行わせることも可能となる。
ところで、上述した椅子１は、シェイプアップ運動を行わない場合は、通常の椅子として用いることができる。つまり、使用者Ｕが座部２に深く腰掛ければ、椅子１の重量バランスが自然と後方になり、上述した転倒防止部材１３が床面に接地するようになって、椅子１は安定した姿勢で床面上に静置した状態となる。
【００３４】
以上述べたように、本発明のシェイプアップ用の椅子１によれば、着座した使用者Uに対して効果的なシェイプアップ運動を行わせることが可能となる。
なお、今回開示された実施形態はすべての点で例示であって制限的なものではないと考えられるべきである。特に、今回開示された実施形態において、明示的に開示されていない事項、例えば、運転条件や操作手順、各種パラメータ、構成物の寸法、重量、体積などは、当業者が通常実施する範囲を逸脱するものではなく、通常の当業者であれば、容易に想定することが可能な値を採用している。
【００３５】
上述した本実施形態では、エアバッグが５個設けられた例を挙げたが、エアバッグの設置数は少なくとも１個以上であれば、何個であってもよい。
上述した本実施形態では、座部にエアバッグが前後に並んで設けられた例を挙げたが、座部上でのエアバッグの設置は左右に並ぶものであっても良い。
【符号の説明】
【００３６】
１    シェイプアップ用の椅子
２    座部
３    肘掛け部
４    背もたれ部
５    前エアバッグ
６    後エアバッグ
７    支持部
８    左エアバッグ
９    右エアバッグ
１０    アーム部材
１１    ヒンジ部材
１２    背部エアバッグ
１３    転倒防止部
１４    支柱部材
１５    突出片
１６    頂部
Ｕ    使用者
【図１】
2014057722.tif 000003
【図２】
2014057722.tif 000004
【図３】
2014057722.tif 000005
【図４】
2014057722.tif 000006
【図５】
2014057722.tif 000007
【図６】
2014057722.tif 000008
【図７】
2014057722.tif 000009